(57)【特許請求の範囲】
【請求項１】
上下方向で、前後に所定の間隔を有して形成された係合孔を内面に有する左右の脚体と、該係合孔に係合する下向き係止爪を左右端部に有し、上面が開口されて上方をコード収納部とした連結枠を左右の脚体間に連結してなる机において、連結枠のコード収納部の左右端部に、脚体方向に出入自在となしたロック片を設ける一方、下向き係止爪が前記係合孔に係合した状態で、前記ロック片が嵌入可能となる位置の脚体内面にロック孔が形成されている事を特徴とする机。
【請求項２】
左右脚体と連結枠が連結された状態で、連結枠の上面は脚体上面より所定寸法下方に位置し、左右の脚体上面間に天板が連結された状態で、天板下面と連結枠間に、左右脚体間全幅にわたってコード挿通用間隙が形成され、天板後縁に形成されたコード挿通孔を挿通してコードを連結枠内に収納可能とした事を特徴とする請求項１に記載の机。
【発明の詳細な説明】
【０００１】
【発明の属する技術分野】
本発明は、左右の脚体を連結枠で連結してなる机に関するものである。
【０００２】
【従来の技術】
従来、前記机は、左右の脚体を所定間隔隔てて立設し、この脚体後部内面に形成した係合孔に、連結枠の左右端部にもうけた下向き係止爪を係合したのち、連結枠の左右端部と脚体の内面をビス止め連結した構成であった。
この為、連結枠と左右脚体の組立に手数を必要とし、机の組立て、分解を手軽に行う事が出来なかった。
【０００３】
【発明が解決しようとする課題】
本発明は、一切の道具を必要とせず、簡単な手順で左右の脚体と連結枠を組み立てる事ができ、余剰コードを天板下方に収納可能となした机を提供する事を課題とする。
【０００４】
【課題を解決する為の手段】
そこで、上記課題を解決する為、本発明が第１の手段として構成したところは、上下方向で、前後に所定の間隔を有して形成された係合孔を内面に有する左右の脚体と、該係合孔に係合する下向き係止爪を左右端部に有し、上面が開口されて上方をコード収納部とした連結枠を左右の脚体間に連結してなる机において、連結枠のコード収納部の左右端部に、脚体方向に出入自在となしたロック片を設ける一方、下向き係止爪が前記係合孔に係合した状態で、前記ロック片が嵌入可能となる位置の脚体内面にロック孔が形成されているものである。
【０００５】
又、本発明が第二の手段として構成したところは、上記第１の手段に加え、左右脚体と連結枠が連結された状態で、連結枠の上面は脚体上面より所定寸法下方に位置し、左右の脚体上面間に天板が連結された状態で、天板下面と連結枠間に、左右脚体間全幅にわたってコード挿通用間隙が形成され、天板後縁に形成されたコード挿通孔を挿通してコードを連結枠内に収納可能としたものである。
【０００８】
【発明の実施の形態】
上下方向で、前後に所定の間隔を有して形成された係合孔を内面に有する左右の脚体と、該係合孔に係合する下向き係止爪を左右端部に有し、上面が開口されて上方をコード収納部とした連結枠を左右の脚体間に連結してなる机において、連結枠のコード収納部の左右端部に、脚体方向に出入自在となしたロック片を設ける一方、下向き係止爪が前記係合孔に係合した状態で、前記ロック片が嵌入可能となる位置の脚体内面にロック孔が形成され、左右脚体と連結枠が連結された状態で、連結枠の上面は脚体上面より所定寸法下方に位置し、左右の脚体上面間に天板が連結された状態で、天板下面と連結枠間に、左右脚体間全幅にわたってコード挿通用間隙が形成され、天板後縁に形成されたコード挿通孔を挿通してコードを連結枠内に収納可能としたものである。
【０００９】
【実施例】
以下、本発明を実施例に基づいて詳述する。図２において、符号１は本発明に係わる机を示している。机１は、左右の脚体２、２と、左右の脚体２、２と左右端部が連結された連結枠３と、左右の脚体２、２の上面に連結された天板４と、連結枠３の後面に着脱自在に取付られた飾り幕板５より構成されている。
【００１０】
左右の脚体２、２は対向した同形に形成されているので、一方側について説明すると、脚体２は、内外側壁２１、２２、後壁等より構成された脚主体２４と、脚主体２４の上端に形成された上端開口に後部が嵌入して連結され、前部が前方に突出する上部支持杆２５と、脚主体２４の下端に形成された下端開口に後部が嵌入して連結され、前部が前方に突出する下部支持杆２６より構成されている。
【００１１】
そして、上部支持杆２５の後端上面には、天板４の裏面に形成され螺孔に螺合する段付ネジ（図示せず）が前方より係合するダルマ孔２５２が形成され、上部支持杆２５の前端には、ダルマ孔２５２に段付ネジ（図示せず）が係合した状態で、下方より連結ネジが挿通して、天板４の裏面に形成された連結螺孔（図示せず）と螺合し、天板４と脚体２を連結する天板連結孔２５１が形成されている。
又、下部支持杆２６の下面前後端部にはアジャスター２７、２７がもうけられ、脚主体２４の前面には着脱自在に合成樹脂性の前面キャップ２８が取付られている。
【００１２】
一方、脚主体２４の内側壁２１の後部側に、連結枠３の奥行き寸法に対応した所定間隔を有し、上下方向に連結枠３の高さ寸法に対応した所定間隔を有して、連結枠３の左右端部が係合する係合孔２１１・・・が形成され、さらに、内側壁２１の所定位置（前記係合孔２１１・・・の後方上部に位置する係合孔２１１に近接して）に、連結枠３と脚主体２４の係合状態を維持するためのロック孔２１２が形成されている。
【００１３】
連結枠３は、前後方向に所定間隔を有する前後壁３１、３２と、前後壁３１、３２の上部間に設けられた上部隔壁３３と、上部隔壁３３の所定寸法下方にもうけられた下部隔壁３４より上面が開口して構成され、上部隔壁３３の上方をコード収納部３３０、上部隔壁３３と下部隔壁３４間を上部ダクト３３１、下部隔壁３４の下方を下部ダクト３４１となし、弱電線と強電線の配線通路に区画すると同時に、上部隔壁３３と、下部隔壁３４の幅寸法を前後壁３１、３２の幅寸法よりり所定寸法短く形成し、左右端部で上下方向で、コード収納部３３０、上部ダクト３３１、下部ダクト３４１に連続するコード挿通路３５、３５を形成している。
【００１４】
さらに、連結枠３の前後壁３１、３２の上下端部には、左右の脚体２、２側に突出し、前記係合孔２１１・・・に上方より係合する下向き係止爪３０・・・が、前記係合孔２１１・・・に係合した状態で、前後壁３１、３２の上面が左右の脚体２、２の上面より所定寸法下方に位置する箇所に形成されると共に、下向き係止爪３０・・・が前記係合孔２１１・・・に係合した状態で、前記脚体２のロック孔２１２に嵌入可能となる位置で、脚体２方向に出入自在となしたロック片６、６が、コード収納部３３０の左右端部に設けられている。
【００１５】
左右のロック片６、６は同じ構成となっているので一方側について説明する。ロック片６は、連結枠３の後壁３２の上部内面に取付られたロック片支持部７に保持されている。
【００１６】
ロック片支持部７は、脚体２側に位置する外片７１と、外片７１より所定寸法内側に位置する内片７２と、後壁３２の上部内面に固着される取付片７３より前側が開口する断面コ字形に形成され、内片７２には、脚体２側が開口する断面略コ字形のバネ受け材７４が形成され、バネ受け材７４と内片７２にはロック片６の中央部を支持する保持孔７２１が形成されている。
そして、外片７１には、前記保持孔７２１に対応して、前記保持孔７２１より少形の挿通孔７１１が形成されている。
【００１７】
ロック片６は、前記挿通孔７１１を挿通し、脚体側端部側が前記ロック孔２１２に嵌入自在なロック部６１と、ロック部６１より大形で、前記保持孔７２１に挿通し内側に突出する操作部６２よりなり、操作部６１の中央部には、バネ保持突起６３が内方に突出するバネ取付孔６４が形成され、操作部６２の内方端部には操作孔６５が形成されている。
そして、バネ取付孔６４には、脚体２側端部がバネ保持突起６３に外嵌し、内方端部が
バネ受け材７３の内面に当接するバネ７０が取付られ、操作部６２の脚体側端面が外片７１の内面に当接し、ロック部６１が常にロック孔２１２に嵌入する姿勢となるよう付勢されている。
【００１８】
すなわち、左右の脚主体２４、２４の係合孔２１１・・・内に、連結枠３の下向き係止爪３０・・・を嵌入させると、ロック片６、６のロック部６１、６１の先端は、内側壁２１、２１に当接し、バネ７０に抗して一旦内方に移動した状態となる。
そして、連結枠３を下方に押しやり、下向き係止爪３０・・・を係合孔２１１・・・の下端部に係合させると、ロック部６１、６１の先端はロック孔２１２・・・に一致し、バネ７０に弾撥されてロック孔２１２・・・内に嵌入し、連結枠３の上方への移動を阻止し、連結枠３の上面は、左右の脚体２、２の上面より所定寸法下方に位置した状態で、両者は連結される。
【００１９】
この状態から、連結枠３と脚体２、２を分解する場合は、上面が開口した連結枠３の上
方より、ロック片６の操作孔６５に指先を引っ掛けて、ロック片６を図３で右側方向（連結枠３の内側方向）に移動させて、ロック部６１をロック孔２１２より抜き出す。（図４に示す状態。）
次に、この状態を維持しながら脚体２、２に対して連結枠３を上方に引き上げて下向き係止爪３０・・・と係合孔２１１・・・の係合状態をはずして分解する。この時、連結枠３は上面が開口し、ロック片６、６は、開口の臨むコード収納部３３０の左右端部に設けられているので、操作が容易である。
【００２０】
飾り幕板５は、下面を円弧状となした略半月状に形成され、内面上部に下方が開口し、上方から連結枠３の後壁３２に係止可能な係止部材５１がもうけられ、下端部内面に後壁３２とネジ止め連結される螺孔を有する連結部５２が形成されて、連結枠３に着脱自在に取付られている。
そして、連結枠３に飾り幕板５が取付られた状態で、飾り幕板５の上面は、連結枠３の上面より上方に位置し、脚体２の上面下方に位置して、天板４と左右の脚体２、２が連結された状態で、飾り幕板５を連結枠３に対し上方に移動させた時、係止部材５１が、連結枠３の後壁３２から逸脱できる間隙を有している。
すなわち、飾り幕板５は、机１として完成された状態であっても連結枠３から着脱自在に構成されている。
【００２１】
天板４は、前端縁に使用者の身体が位置する凹部４１を有し、後縁左右両端部側には、机上のＯＡ機器のコード１０を連結枠３のコード収納部３３０、上部ダクト３３１、下部ダクト３４１に導くコード挿通孔８、８が形成されている。コード挿通孔８、８は天板４の切り欠き部８１、８１に取付られる基台９１と、基台９１の上方から着脱自在に取付られる挿通孔枠材９２より形成されている。
【００２２】
基台９１は、図６、図７に示す如く、天板４の切り欠き部８１の縁部上下面を挟持する上下突出縁部９１１、９１２と、上下突出縁部９１１、９１２間に形成された対向する左右内面縁部９１３、９１３と、左右内面縁部９１３、９１３間に位置し、左右内面縁部９１３、９１３の前端に連続して形成された前面縁部９１４より合成樹脂材にて一体に形成されている。
そして、対向する左右内面縁部９１３、９１３の前後方向略中央部に、前後方向に所定間隔を隔てて、上下方向で左右内面縁部９１３、９１３の略半分程度の高さで内側に突出する挿通孔枠材９２の位置決め突起９１５・・・が形成され、位置決め突起９１５・・・の下端部前後位置に、挿通孔枠材９２の係脱用孔９１６・・・が形成されている。
【００２３】
基台９１は、上記の如く構成され、天板４の切り欠き部８１の後方より、切り欠き部８１の縁部上下面を挟持するよう、上下突出縁部９１１、９  １２を外嵌せしめた後、下突出縁９１２の前端と天板裏面をネジ止めして取付られる。
【００２４】
基台９１に着脱自在に取付られる挿通孔枠材９２は、基台９１の左右内面縁部９１３、９１３の後端部間を閉塞する後縁９２１と、後縁９２１の上端に一体に形成され左右内面縁部９１３、９１３の後部上面間を閉塞する後部閉塞部９２２と、左右内面縁部９１３、９１３の内面側に位置し、下面が前記位置決め突起９１５・・・の上面に当接する、左右縁部９２３、９２３と、前記位置決め突起９１５・・・の前後側で左右縁部９２３、９２３の下方に突出し、下端に係止突起９２４・・・を有する係止突片９２５・・・より合成樹脂材にて一体に形成されると共に、後部閉塞部９２２の左右端部で、左右縁部９２３、９２３の上端に、前端が開口し、前後方向に後記する蓋材９３をスライド可能に保持するスライド支持溝９２６、９２６が形成されている。
【００２５】
蓋材９３は、左右端部下面に内方に突出し前記スライド支持溝９２６、９２６に嵌入するスライド突条９３１、９３１と、前記基台９１に挿通孔枠材９２が取付られた状態で、前面縁部９１４と後部閉塞部９２２間に形成されるコード挿通孔８を開閉自在となす覆部９３２より形成され、覆部９３２の上面には複数個の滑り止め突起９３３・・・が形成され、覆部９３２の前端下面にはコード挿通孔８の開放時に、前記挿通孔枠材９２の後部閉塞部９２２の前端に当接するストッパー突起９３４が下方に突出して形成されている。
【００２６】
挿通孔枠材９２は、スライド支持溝９２６、９２６の後端より蓋材９３のスライド突条９３１、９３１を嵌入せしめて、前後方向にスライド自在に蓋材９３を保持した状態で、天板４に取付られた基台９１に上方より嵌合する。
この時、挿通孔枠材９２の左右縁部９２３、９２３の下面が、基台９１の位置決め突起９１５・・・の上面に当接すると同時に、係止突片９２５・・・の係止突起９２４・・・が係脱用孔９１５・・・に弾性的に係合する。
そして、係止突片９２５・・・間に位置決め突起９１５・・・が位置して、挿通孔枠材９２の前後方向への移動を防止し、基台９１と挿通孔枠材９２でコード挿通孔８を形成する。
【００２７】
又、蓋材９３は、後方にスライドされて、挿通孔枠材９２の後部閉塞部  ９２２に重合してコード挿通孔８を開放する。この時、ストッパー突起９  ３４は後部閉塞部９２２の前端に当接して、蓋材９３の後方への移動を規  制する。一方、この状態から、蓋材９３を前方に移動して、覆部９３２の  前端と基台９１の前面縁部９１４を当接せしめると、蓋材９３はコード挿  通孔８を閉塞する。
【００２８】
上記の如く構成されたコード挿通孔８、８を有する天板４は、前記した如く後端部左右側の裏面に形成され螺孔に螺合された段付ネジ（図示せず）を、連結枠３と連結された左右の脚体２、２のダルマ孔２５２、２５２に係合させ、次に、上部支持杆２５、２５の天板連結孔２５１、２５１の下方より連結ネジ（図示せず）を挿通し、前端部左右側の裏面に形成され  た連結螺孔（図示せず）と螺合させ脚体２、２と連結される。この状態で、天板４の裏面と連結枠３間にはコード挿通用間隙４００が形成され、机１を対向して設置した状態で、コード１００は、一旦、連結枠３のコード収納部３３に収納され、さらに、コード挿通用間隙４００より、他方の机１のコード挿通用間隙４００を挿通して、コード挿通孔８、８より天板４上に導かれる。
【００２９】
【発明の効果】
請求項１に記載の発明によれば、上面が開口された連結枠のコード収納部の左右端部に、脚体方向に出入自在となしたロック片を設ける一方、下向き係止爪が前記係合孔に係合した状態で、前記ロック片が嵌入可能となる位置に形成されたロック孔を、前記脚体内面に設けたことにより、係止爪を係合孔に係合する作業と、ロック片をロック孔に嵌入する作業を姿勢を変える事なく行うことができ、さらに、脚体と連結枠の連結に道具を必要としないので作業が容易であり、ロック片は、開口の臨むコード収納部の左右端部に設けられているので、操作が容易である。
【００３０】
請求項２に記載の発明によれば、前記効果に加え、左右脚体と連結枠が連結された状態で、連結枠の上面は脚体上面より所定寸法下方に位置し、左右の脚体上面間に天板が連結された状態で、天板下面と連結枠間に、左右脚体間全幅にわたってコード挿通用間隙が形成され、天板後縁に形成されたコード挿通孔を挿通してコードが連結枠内に収納可能としたので、机を対向して設置しても、各机への配線が容易であり、新たに余剰コードを収納しておく配線収納ボックス等の別部材を必要としないので安価に製作できる。
【図面の簡単な説明】
【図１】脚体と連結枠の要部斜視図
【図２】本発明の分解斜視図図
【図３】脚体と連結枠の連結状態を示す要部断面図
【図４】ロック片をロック孔から抜き出した状態の要部断面図
【図５】図３のＡーＡ線断面図
【図６】基台と挿通孔枠材の嵌合状態を示す要部断面図
【図７】基台と挿通孔枠材の斜視図
【符号の説明】
１        机
２        脚体
２１      内壁
２１１    係合孔
２１２    ロック孔
２４      脚主体
３        連結枠
３０      下向き係止爪
３２      後壁
４        天板
４００    コード挿通用間隙
５        飾り幕板
５１      係止部材
６        ロック片
８        コード挿通孔
【図１】
0003560472.tif 000002
【図２】
0003560472.tif 000003
【図３】
0003560472.tif 000004
【図４】
0003560472.tif 000005
【図５】
0003560472.tif 000006
【図６】
0003560472.tif 000007
【図７】
0003560472.tif 000008